(57)【特許請求の範囲】
【請求項１】
画像を表示させる表示領域を備えた略矩形平板状の平面表示パネルと、
光源、この光源に一側部を対向させて配設されこの光源からの光を一主面に向けた面状の光に変換する略矩形平板状の面状光源変換体を備え、この面状光源変換体の一主面を前記平面表示パネルの表示領域に対向させて配設され、前記面状光源変換体の一主面から出射する面状の光を前記平面表示パネルの表示領域へと入射させる面状光源体と、
この面状光源体を収容する略矩形枠状の本体部を備えたフレームとを具備し、
前記本体部は、前記光源が配置された部分と反対側の部分が、前記面状光源変換体の非光入射面の中央部との間に所定の間隙を介して対向する中央縁部と、前記面状光源変換体の非光入射面の両端部との間に前記間隙よりも大きい間隙を介して対向する拡開縁部と、内側に向けて円弧状に突出するように湾曲しこの拡開縁部と前記中央縁部とを輝度むらの発生を抑制するように滑らかに連接する接続縁部とにより構成されている
ことを特徴とした平面表示装置。
【請求項２】
請求項１記載の平面表示装置を具備し、
この平面表示装置の平面表示パネルは、液晶表示パネルである
ことを特徴とした液晶表示装置。
【発明の詳細な説明】
【技術分野】
【０００１】
本発明は、画像を表示する表示領域を備えた平面表示パネルを有する平面表示装置および液晶表示装置に関する。
【背景技術】
【０００２】
近年、この種の平面表示装置としての液晶表示装置は、いわゆるノート型のパーソナルコンピュータの形態で、薄型および軽量の特徴を生かして、各種分野で利用されている。
【０００３】
そして、この液晶表示装置は、矩形平板状の液晶パネルを備えている。この液晶パネルには、この液晶パネルに駆動信号を供給する回路基板が電気的に接続されている。また、この液晶パネルはベゼルカバーとフレームとの間に挟持されて収容されており、この液晶パネルとフレームとの間には、この液晶パネルに面状の光を入射させる面状光源装置が収容されて取り付けられている。
【０００４】
この面状光源装置は、管状光源と、この管状光源からの線状の光を面状の光である平面光源に変換する矩形平板状の導光体を備えている。この導光体は光透過性を有する樹脂にて成形されており、この導光体の裏面にはプリズムが設けられている。また、この導光体の一側部には、管状光源を覆い、この管状光源からの光を導光体の一側部に入射させるリフレクタが取り付けられている。このリフレクタの一側部は、導光体とフレームとの間に挟み込まれた構成が知られている（例えば、特許文献１参照。）。
【特許文献１】特開２００２−２７００２４号公報（第３−５頁、図１ないし図３）
【発明の開示】
【発明が解決しようとする課題】
【０００５】
しかしながら、上述した液晶表示装置では、面状光源装置のリフレクタの一側部を導光体とフレームとの間に挟み込んだ構成である。したがって、高輝度および高品位の輝度むらの防止を達成できるが、環境試験の温度サイクル試験である熱衝撃試験においては、導光体の熱伸縮によって、この導光体が管状光源の反対側である他側部側に向けて移動してフレームに接触していまい、この導光体がフレームから外れてしまうおそれがあるという問題を有している。
【０００６】
本発明は、このような点に鑑みなされたもので、フレームからの面状光源変換体の外れを確実に防止できる平面表示装置および液晶表示装置を提供することを目的とする。
【課題を解決するための手段】
【０００７】
本発明は、画像を表示させる表示領域を備えた略矩形平板状の平面表示パネルと、光源、この光源に一側部を対向させて配設されこの光源からの光を一主面に向けた面状の光に変換する略矩形平板状の面状光源変換体を備え、この面状光源変換体の一主面を前記平面表示パネルの表示領域に対向させて配設され、前記面状光源変換体の一主面から出射する面状の光を前記平面表示パネルの表示領域へと入射させる面状光源体と、この面状光源体を収容する略矩形枠状の本体部を備えたフレームとを具備し、前記本体部は、前記光源が配置された部分と反対側の部分が、前記面状光源変換体の非光入射面の中央部との間に所定の間隙を介して対向する中央縁部と、前記面状光源変換体の非光入射面の両端部との間に前記間隙よりも大きい間隙を介して対向する拡開縁部と、内側に向けて円弧状に突出するように湾曲しこの拡開縁部と前記中央縁部とを輝度むらの発生を抑制するように滑らかに連接する接続縁部とにより構成されているものである。
【０００８】
そして、面状光源体の面状光源変換体の一主面を平面表示パネルの表示領域に対向させて配設させた状態で、これら面状光源体および平面表示パネルのそれぞれがフレームに収容される。このとき、このフレームの本体部の拡開縁部によって、面状光源体の光源の反対側に位置する面状光源変換体の非光入射面の両端部が、フレームに対して間隙を介して配設される。したがって、熱衝撃下で面状光源変換体が非光入射面側に移動した際に、この面状光源変換体の移動をフレームの拡開縁部が吸収する。また、フレームの拡開縁部と中央縁部との間とを、内側に向けて円弧状に突出するように湾曲した接続縁部により滑らかに接続させる。この結果、面状光源変換体の熱伸縮をフレームの拡開縁部にて吸収する際に、このフレームの接続縁部が面状光源変換体の熱伸縮による移動を中央部から両端部側に向けて徐々に吸収する。このため、このフレームからの面状光源変換体の外れを確実に防止できる。
【発明の効果】
【０００９】
本発明によれば、フレームの本体部の拡開縁部によって、面状光源体の光源の反対側に位置する面状光源変換体の非光入射面の両端部が、フレームに対して間隙を介して配設される。このため、熱衝撃下で面状光源変換体が非光入射面側に移動した際に、この面状光源変換体の移動をフレームの拡開縁部で吸収できる。また、フレームの拡開縁部と中央縁部との間とを、内側に向けて円弧状に突出するように湾曲した接続縁部により滑らかに接続させる。この結果、面状光源変換体の熱伸縮をフレームの拡開縁部にて吸収する際に、このフレームの接続縁部で面状光源変換体の熱伸縮による移動を中央部から両端部側に向けて徐々に吸収できる。よって、このフレームからの面状光源変換体の外れを確実に防止できる。
【発明を実施するための最良の形態】
【００１０】
以下、本発明の液晶表示装置の一関連技術の構成を図１ないし図３を参照して説明する。
【００１１】
図１ないし図３において、１は平面表示装置としての透過型の液晶表示装置である。この液晶表示装置１は、比較的大型で、狭額縁および携帯性に優れた薄型である。そして、この液晶表示装置１は、主としてノート型のパーソナルコンピュータ(ＰＣ)の画像表示部などとして用いられる透過型の平面表示パネルとしての略矩形平板状の液晶表示パネル２を備えている。この液晶表示パネル２は、例えば対角１２型であり、光変調層を図示しない液晶層としている。
【００１２】
また、この液晶表示パネル２は、図示しない薄膜トランジスタ(Thin Film Transistor:ＴＦＴ)型が一主面である表面にマトリクス状に設けられたアレイ基板３を備えている。そして、このアレイ基板３の表面には、図示しない対向電極が一主面に設けられた対向基板４の対向電極側を対向させて取り付けられている。また、これらアレイ基板３と対向基板４との間に液晶層が介挿されて封止されて液晶表示パネル２が構成されている。
【００１３】
ここで、この液晶表示パネル２の平面方向である高さ方向における一側縁には、この液晶表示パネル２へと駆動信号を供給して駆動させる回路基板としての細長矩形平板状のドライバ回路５がフレキシブルな細長矩形平板状の一対のプリント配線基板(Flexible Print Circuit:ＦＰＣ)６,７を介して取り付けられている。なお、これらプリント配線基板６,７の代わりに、図示しないＴＡＢ(Tape Automated Bonding)を介してドライバ回路５を電気的に接続することもできる。
【００１４】
さらに、液晶表示パネル２の中央部には、画像を表示させる表示領域である矩形状の表示画面エリア８が形成されている。この表示画面エリア８には、図示しない複数の表示画素がマトリクス状に配列されている。そして、この液晶表示パネル２の一主面である表面側には、矩形枠状のベゼルカバー11が取り付けられている。このベゼルカバー11は、液晶表示パネル２の表示画面エリア８に対応して、この表示画面エリア８を露出させる矩形状の窓部12が中央部に開口形成された矩形枠状の本体部13を備えている。
【００１５】
また、この本体部13の外周縁には、この本体部13の裏面側に液晶表示パネル２を収容させた際に、この液晶表示パネル２の縁部を覆う外周縁部14が設けられている。さらに、この外周縁部14には、本体部13の裏面側に液晶表示パネル２を収容させた状態で、この液晶表示パネル２をベゼルカバー11に固定させるねじ体14aが取り付けられている。
【００１６】
一方、液晶表示パネル２の裏面側には、この液晶表示パネル２の表示画面エリア８の裏面側へと平面光である面状の光を入射させる矩形平板状の面状光源体としての面光源装置であるバックライト15が対向されて取り付けられている。このバックライト15は、このバックライト15の一主面である表面側を液晶表示パネル２の裏面に対向させた状態で、この液晶表示パネル２とともにベゼルカバー11に収容されている。
【００１７】
ここで、この液晶表示パネル２に取り付けられたドライバ回路５は、液晶表示パネル２の裏面側にバックライト15の表面側を対向させた状態で、このバックライト15の裏面側に向けてプリント配線基板６,７のそれぞれを湾曲させることにより、このバックライト15の裏面側に配置される。このとき、このドライバ回路５とバックライト15との間には、これらドライバ回路５とバックライト15との間の絶縁性を確保させる細長矩形シート状の絶縁シート21が介在されて取り付けられている。
【００１８】
そして、このバックライト15は、図２および図３に示すように、細長円筒状の管状光源である放電ランプとしての冷陰極管22を備えている。この冷陰極管22の両端部には、弾性を有するゴムなどにより成形されたランプホルダ23が嵌合されて取り付けられている。さらに、この冷陰極管22の両端部のそれぞれには、ケーブル24の一端部が接続されており、これらケーブル24それぞれの他端部には、コネクタとしてのハウジング25が取り付けられている。
【００１９】
また、冷陰極管22の外周面に対して一側部であるランプ側の光入射面26aを平行に対向させた状態で、矩形略平板状の面状光源変換体である導光体26が配設されている。ここで、光入射面26aは、この光入射面26aと、導光体26の一主面である光出射面としての表面26bとの角部26cを含まない平面状の部分である。また、この導光体26は、光透過性を有する樹脂などにより成形されている。さらに、この導光体26は、薄型および軽量化を可能にするために、この導光体26の他主面としての非光出射面である裏面26dに、集光機能を有する図示しないプリズムが成形されたプリズム導光体である。
【００２０】
さらに、この導光体26は、冷陰極管22からの線状の光が光入射面26aを介して入射されて、この線状の光を導光体26の側に向けて面状に屈折させて面状の光である面状光源に変換して、この面状の光を液晶表示パネル２の表示画面エリア８の裏面側に照射させて透過させる。そして、この導光体26は、この導光体26の表面26bを液晶表示パネル２の表示画面エリア８の裏面側に対向させた状態で配設されている。さらに、この導光体26は、この導光体26の表面26b側から出射する面状の光を液晶表示パネル２の表示画面エリア８へと入射させる。
【００２１】
また、この導光体26は、この導光体26の光入射面26aから入射する光を、この導光体26の表面26bへと均等に反射させるとともに、この導光体26の他辺としての他側部である反ランプ側の非光入射面26eよりの裏面26d側に収容スペースを確保するために、この光入射面26a側から非光入射面26e側に向けて高さ方向に沿って平行に徐々に薄くされている。
【００２２】
そして、この導光体26の表面26bには、この導光体26の表面26bを覆う略矩形シート状の光学シートである集光シート27が重ねられて取り付けられている。この集光シート27は、導光体26の表面26bから出射される面状の光を集光させる。さらに、この集光シート27上には、この集光シート27の表面を覆う略矩形シート状の光学シートである拡散シート28が重ねられて取り付けられている。
【００２３】
この拡散シート28は、導光体26の表面26bに対向した集光シート27の裏面の反対側の表面に対向して配置されている。さらに、この拡散シート28は、集光シート27にて集光された面状の光を拡散させてから、この面状の光を液晶表示パネル２の表示画面エリア８の裏面へと入射させて透過させて、この液晶表示パネル２の表示画面エリア８に表示される画像を目視可能にする。
【００２４】
ここで、これら集光シート27および拡散シート28のそれぞれは、導光体26の表面26bから出射される面状の光の輝度を向上させるとともに、この輝度の均一性を向上させるための光学フィルムである。
【００２５】
一方、導光体26の裏面26dには、この導光体26の裏面26dを覆う矩形シート状の光学シートである反射シート29が配置されて取り付けられている。この反射シート29は、この導光体26の内部からこの導光体26の裏面26dを介して外部へと照射される光を、この導光体26の表面26b側に向けて反射させるための光学フィルムである。
【００２６】
そして、この導光体26の光入射面26aに対向して配設された冷陰極管22は、図２に示すように、略コ字状に湾曲したシート状の反射体としてのランプリフレクタ31にて周方向に亘って覆われている。このランプリフレクタ31は、導光体26の光入射面26aを挟み込むように取り付けられており、冷陰極管22からの光を反射させて導光体26の光入射面26aへと入射させて導入させる。
【００２７】
また、このランプリフレクタ31の幅方向に沿った両側部である上端部33および下端部34のそれぞれには、このランプリフレクタ31の高さ方向の中心側にそれぞれ屈曲された屈曲部35,36が設けられている。さらに、このランプリフレクタ31の上端部33は、導光体26の表面26bと集光シート27との間に長手方向に沿って挟まれた状態で取り付けられている。すなわち、このランプリフレクタ31は、集光シート27の厚さ寸法と略等しい、あるいはこの厚さ寸法よりも小さな厚さ寸法を有している。また、このランプリフレクタ31の下端部34は、導光体26の裏面26dに対向して配設された反射シート29の裏面29aに所定幅が長手方向に沿って重ねられた状態で、この反射シート29の裏面29a上に配設されている。
【００２８】
そして、表面26bに集光シート27および拡散シート28が取り付けられ、裏面26dに反射シート29が取り付けられ、光入射面26a側に冷陰極管22およびランプリフレクタ31が取り付けられた導光体26は、略矩形平板状のフレーム40の一主面である表面側に収容されて保持されている。
【００２９】
ここで、このフレーム40は、矩形枠状の本体部41を備えている。この本体部41の中央部には、この本体部41内にバックライト15を嵌合させて収容させる略矩形状の収容開口部42が設けられている。この収容開口部42の高さ方向に沿った一側部の内周縁の裏面側には、この収容開口部42に嵌合されて収容されたバックライト15の裏面側の高さ方向に沿った一側部を係止して保持する細長略矩形平板状の保持片部43が設けられている。この保持片部43は、収容開口部42の長手方向である幅方向に沿って設けられている。
【００３０】
具体的に、この保持片部43は、この保持片部43の表面上に両面テープとしての細長帯状のポリエチレンテレフタレート(polyethylene terephthalate)製のＰＥＴテープ44の裏面が長手方向を沿わせた状態で貼り付けられている。そして、このＰＥＴテープ44の表面には、反射シート29の高さ方向に沿った一側縁部の裏面29a側が幅方向に沿わせた状態で貼り付けられている。さらに、この反射シート29の一側縁部の表面29b側と、導光体26の非光入射面26e側の裏面26dとの間には、両面テープとしての細長帯状のＰＥＴテープ45が反射シート29および導光体26それぞれの幅方向に長手方向を沿わせた状態で貼り付けられている。したがって、このＰＥＴテープ45は、反射シート29を導光体26の裏面26dに固定させている。
【００３１】
一方、保持片部43が形成されている側である本体部41の内側面41aの長手方向に沿った中央部には、この本体部41の内側面41aの長手方向に沿った両端部よりも収容開口部42の内側に向けて突出した中央縁部46が設けられている。この中央縁部46は、本体部41の収容開口部42にバックライト15を収容させた状態で、このバックライト15の導光体26の非光入射面26eの長手方向に沿った中央部26fに対して、この導光体26の平面方向である高さ方向に向けて所定距離のクリアランスである間隙Ａを介して対向して配設される。
【００３２】
ここで、本体部41の内側面41aは、この本体部41の収容開口部42にバックライト15を収容させた状態で、このバックライト15の冷陰極管22の反対側に位置する導光体26の高さ方向に沿った他側部に対向する収容開口部42の一側面である。
【００３３】
さらに、本体部41の内側面41aの長手方向に沿った両端部には、この本体部41の中央縁部46よりも収容開口部42の外側に向けて凹状に拡開された拡開部としての拡開縁部である拡開凹部47がそれぞれ設けられている。これら拡開凹部47は、本体部41の収容開口部42にバックライト15を収容させた状態で、このバックライト15の導光体26の非光入射面26eの長手方向に沿った角部である両端部26gに対して、この導光体26の高さ方向に向けて間隙Ａよりも大きい所定距離の間隙Ｂを介して対向して配設される。
【００３４】
ここで、これら拡開凹部47それぞれは、導光体26の非光入射面26e側の両端部26g付近である、これら両端部26g近傍が高さ方向に沿って接触しないように、フレーム40の本体部41の内側面41aの両端部がカットされて削除されて構成されている。すなわち、これら拡開凹部47のそれぞれは、導光体26の熱伸縮によって、この導光体26がフレーム40の収容開口部42から外れにくくする構造である。
【００３５】
また、これら拡開凹部47と中央縁部46との間の段差部には、これら拡開凹部47と中央縁部46とをテーパ状に傾斜させて滑らかに結んで接続させる接続部である接続縁部としての接続片部48がそれぞれ設けられている。これら接続片部48それぞれは、本体部41の内側面41aの長手方向に沿った拡開凹部47と中央縁部46との間に設けられている。すなわち、これら接続片部48のそれぞれは、本体部41の内側面41aの長手方向に沿った中央部から、この内側面41aの長手方向に沿った両端部に向かうに連れて、本体部41の高さ方向に沿った他側部側に向けて傾斜している。ここで、これら接続片部48のそれぞれは、導光体26の熱伸縮による、この導光体26の表面26bから出射される面状の光の輝度むらを防止させる。
【００３６】
次に、上記一関連技術の作用を説明する。
【００３７】
まず、ハウジング25およびケーブル24を介して冷陰極管22へと電気エネルギを供給して、この冷陰極管22を発光させる。
【００３８】
このとき、この冷陰極管22から発光した線状の光は、この冷陰極管22を覆うランプリフレクタ31の内側面にて反射されて導光体26の光入射面26aへと入射する。
【００３９】
そして、この導光体26の光入射面26aへと入射した光は、この導光体26の裏面26dに形成されたプリズム、およびこの裏面26d側に取り付けられた反射シート29のそれぞれによって、この導光体26の表面26b側に向けて面状の光に変換されて、この導光体26の表面26bから出射される。
【００４０】
この後、この導光体26の表面26bから出射された面状の光は、集光シート27を透過してこの集光シート27により集光された後に、拡散シート28を透過してこの拡散シート28により拡散されて、これら集光シート27および拡散シート28によって導光体26の表面26bの輝度が均一化および向上される。
【００４１】
さらに、これら集光シート27および拡散シート28のそれぞれを透過した面状の光は、液晶表示パネル２の表示画面エリア８の裏面側へと照射される。
【００４２】
そして、この液晶表示パネル２の表示画面エリア８の裏面側へと照射した光は、この液晶表示パネル２の表示画面エリア８を透過して使用者の目に入り、この液晶表示パネル２の表示画面エリア８にて表示される画像が使用者に視認される。
【００４３】
上述したように、上記一関連技術では、フレーム40の収容開口部42にバックライト15を収容させた状態で、このバックライト15の導光体26の非光入射面26eの長手方向に沿った中央部26fに、所定距離の間隙Ａを介して対向して配設される中央縁部46を、本体部41の内側面41aの長手方向に沿った中央部に設ける構成とした。
【００４４】
さらにこの状態で、バックライト15の導光体26の非光入射面26eの長手方向に沿った角部である両端部26gに、間隙Ａよりも大きい所定距離の間隙Ｂを介して対向して配設される拡開凹部47を、本体部41の内側面41aの長手方向に沿った両端部に設ける構成とした。
【００４５】
ここで、従来のように拡開凹部47を設けない場合には、フレーム40の内側面41aと導光体26の非光入射面26eとの間の間隙を、熱衝撃対策としてランプリフレクタ31の下端側の挟み込み量よりも小さく構成している。
【００４６】
したがって、環境試験の温度サイクル試験である熱衝撃試験をした場合に、導光体26が熱伸縮し、図５に示すように、この導光体26の高温時の膨張によって、この導光体26が非光入射面側に向けて移動してしまう。このとき、図６に示すように、導光体26の非光入射面26eの中央部26fは、フレーム40の本体部41の中央部が梁形状となり、この中央部が外側に向けてたわむことによって、このフレーム40の収容開口部42から外れにくい。
【００４７】
これに対し、この導光体26の非光入射面26e側の両端部26gの熱伸縮率が特に大きいから、この導光体26の非光入射面26e側の両端部26gがフレーム40の収容開口部42の内側面41aに接触して、この導光体26の非光入射面26e側の両端部26gのそれぞれがフレーム40の内側面41aに対して突っ張りあってしまい、結果として、このフレーム40の収容開口部42から導光体26が外れるなどの不良が発生してしまうおそれがある。
【００４８】
また、低温時には、各ＰＥＴテープ44,45それぞれによる固定が強くなってしまうから、図７に示すように、導光体26の収縮によって、この導光体26が非光入射面26e側に引っ張られて移動してしまうおそれがある。
【００４９】
しかしながら、上述した一関連技術では、フレーム40の収容開口部42の内側面41aの両端部に拡開凹部47をそれぞれ設けた。この結果、導光体26の熱伸縮によって、この導光体26が非光入射面26e側に移動した場合であっても、この導光体26の移動をフレーム40の拡開凹部47にて吸収できる。よって、このフレーム40の収容開口部42からの導光体26の抜けや外れを確実に防止できる。
【００５０】
さらに、フレーム40の拡開凹部47と中央縁部46との間の段差部に接続片部48をそれぞれ設けて、これら拡開凹部47と中央縁部46とをテーパ状に滑らかに接続させる構成とした。この結果、導光体26の熱伸縮をフレーム40の拡開凹部47にて吸収させる際に、このフレーム40の接続片部48によって導光体26の熱伸縮による移動を中央部26fから両端部26g側に向けて徐々に吸収できる。
【００５１】
よって、この導光体26の輝度むらの発生を防止しつつ、この導光体26の熱伸縮によるフレーム40からの外れを防止できるので、この導光体26の輝度および品位を維持しつつ、この導光体26の熱伸縮によるフレーム40からの外れを防止できる。この結果、冷陰極管22からの光を漏らすことなく、高輝度および高品位を維持できるとともに、従来に比べて温度サイクル環境下においても画面品位を維持した液晶表示装置１を得ることができる。
【００５２】
なお、上記一関連技術では、フレーム40の拡開凹部47と中央縁部46との間の段差部に接続片部48をそれぞれ設けて、これら拡開凹部47と中央縁部46との間をテーパ状に滑らかに接続させたが、図４に示す一実施の形態のように、各接続片部48のそれぞれを本体部41の収容開口部42の内側に向けて円弧状に突出するようにＲ形状に湾曲させた形状にしても、上記一関連技術と同様の作用効果を奏することができる。ここで、これら接続片部48は、フレーム40の拡開凹部47と中央縁部46との間の段差部を厚さ方向に沿って平行に滑らかに湾曲した曲線で連結させている。
【００５３】
また、上記一実施の形態では、液晶表示パネル２の裏面にバックライト15を取り付け、このバックライト15からの光を液晶表示パネル２の表示画面エリア８の裏面側から表面側へと透過させる透過型あるいは半透過型の液晶表示装置１としたが、液晶表示パネル２の表示画面エリア８の表面側に面状光源体としてフロントライトを取り付けて、このフロントライトからの光を液晶表示パネル２の表示画面エリア８の表面側に入射させて反射させる反射型の液晶表示装置１とすることもできる。
【００５４】
さらに、アモルファスシリコン(ａ−Ｓｉ)や、ポリシリコン(ｐ−Ｓｉ)を用いた液晶表示パネル２とすることもできるとともに、対角１０．４型から１５型程度のサイズの液晶表示装置１に対応させて用いることもできる。
【図面の簡単な説明】
【００５５】
【図１】本発明の平面表示装置の一関連技術を示す説明正面図である。
【図２】同上平面表示装置を示す説明断面図である。
【図３】同上平面表示装置を示す分解斜視図である。
【図４】本発明の一実施の形態の平面表示装置を示す説明正面図である。
【図５】従来の平面表示装置の高温時の状態を示す説明断面図である。
【図６】同上平面表示装置の高温時の状態を示す説明正面図である。
【図７】同上平面表示装置の低温時の状態を示す説明断面図である。
【符号の説明】
【００５６】
１    平面表示装置としての液晶表示装置
２    平面表示パネルとしての液晶表示パネル
８    表示領域としての表示画面エリア
15    面状光源体としてのバックライト
22    光源としての冷陰極管
26    面状光源変換体としての導光体
26a   一側部としての光入射面
26e   非光入射面
26f   中央部
26g   端部
40    フレーム
41    本体部
46    中央縁部
47    拡開縁部としての拡開凹部
48    接続縁部としての接続片部
Ａ    間隙
Ｂ    間隙
【図１】
0005275542.tif 000002
【図２】
0005275542.tif 000003
【図３】
0005275542.tif 000004
【図４】
0005275542.tif 000005
【図５】
0005275542.tif 000006
【図６】
0005275542.tif 000007
【図７】
0005275542.tif 000008